(57)【要約】【課題】ファンの取り付け箇所の隙間からのエア漏れや、ファンのがたつきなどの不具合を適切に防止し得る燃焼装置を提供する。【解決手段】燃焼装置Ａは、ファンＦの吐出口側先端部３０を形成する複数の板状壁部３０ａ〜３０ｄのうち、少なくとも１つの板状壁部３０ａ，３０ｂの先端部に、エア吐出口３１とは反対側に曲げられて折り返され、かつ板状壁部３０ａ，３０ｂの非折り返し部３５との間に隙間Ｃ１を形成して非折り返し部３５側への変形が可能な折り返し部３６が連設されており、バーナケース２の底部２０に設けられた一対の第１の起立部２２ａの相互間領域に吐出口側先端部３０が介装された状態においては、一対の第１の起立部２２ａの少なくとも一方に折り返し部３６を圧接可能である。【選択図】  図３
2015068554.tif 000002
【特許請求の範囲】
【請求項１】
バーナケースと、
このバーナケースの底部に設けられた開口部を介して前記バーナケース内に燃焼用空気を供給するためのファンと、
を備えており、
前記バーナケースの底部には、前記開口部の縁部から前記底部の厚み方向に起立し、かつ互いに間隔を隔てて対向する一対の第１の起立部を含む複数の起立部が設けられており、
前記ファンは、エア吐出口が開口して形成されている吐出口側先端部が、前記一対の第１の起立部の相互間領域に介装された状態で前記バーナケースに取り付けられている、燃焼装置であって、
前記ファンの吐出口側先端部を形成する複数の板状壁部のうち、少なくとも１つの板状壁部の先端部には、前記エア吐出口とは反対側に曲げられて折り返され、かつ前記板状壁部の非折り返し部との間に隙間を形成して前記非折り返し部側への変形が可能な折り返し部が連設されており、
前記一対の第１の起立部の相互間領域に前記ファンの吐出口側先端部が介装された状態において、前記一対の第１の起立部の少なくとも一方に前記折り返し部を圧接可能とされていることを特徴とする、燃焼装置。
【請求項２】
請求項１に記載の燃焼装置であって、
前記複数の起立部として、前記一対の第１の起立部が対向する方向とは交差する方向において互いに間隔を隔てて対向する一対の第２の起立部を、さらに有しており、
前記ファンの吐出口側先端部は、前記一対の第１の起立部および前記一対の第２の起立部によって囲まれた領域に介装され、かつ前記一対の第２の起立部の双方または一方に連結部材を用いて連結されている、燃焼装置。
【請求項３】
請求項２に記載の燃焼装置であって、
前記ファンの吐出口側先端部と前記第２の起立部との連結部としては、前記連結部材が前記折り返し部と非折り返し部との隙間およびこの隙間に対応する箇所に位置することにより、前記連結部材が前記ファンのエア吐出口およびこれに連通する送風路の外部に位置するように設定された連結部が設けられている、燃焼装置。
【請求項４】
請求項１ないし３のいずれかに記載の燃焼装置であって、
前記折り返し部は、前記第１の起立部に対面接触可能な平板部を有している、燃焼装置。
【請求項５】
請求項１ないし４のいずれかに記載の燃焼装置であって、
前記折り返し部には、この折り返し部が前記非折り返し部と対面する方向に変形する際のバネ性を発揮する湾曲板部が設けられている、燃焼装置。
【請求項６】
請求項１ないし５のいずれかに記載の燃焼装置であって、
前記折り返し部と非折り返し部との連接部分は、前記ファンのエア吐出口の開口幅をエア流れ方向下流側に進むにしたがって広くする湾曲状とされ、かつこの湾曲状部分の先端は、前記ファンケースの底部の上面高さと略同一以上の高さに設定されている、燃焼装置。
【請求項７】
バーナケースと、
このバーナケースの底部に設けられた開口部を介して前記バーナケース内に燃焼用空気を供給するためのファンと、
を備えており、
前記バーナケースの底部には、前記開口部の縁部から前記底部の厚み方向に起立し、かつ互いに間隔を隔てて対向する一対の第１の起立部を含む複数の起立部が設けられており、
前記ファンは、エア吐出口が開口して形成されている吐出口側先端部が、前記一対の第１の起立部の相互間領域に介装された状態で前記バーナケースに取り付けられている、燃焼装置であって、
前記一対の第１の起立部のうち、少なくとも一方の第１の起立部の先端部には、前記開口部側に曲げられて折り返され、かつ前記第１の起立部の非折り返し部との間に隙間を形成して前記非折り返し部側への変形が可能な折り返し部が連設されており、
前記一対の第１の起立部の相互間領域に前記ファンの吐出口側先端部が介装された状態において、前記吐出口側先端部に前記折り返し部を圧接可能とされていることを特徴とする、燃焼装置。
【発明の詳細な説明】
【技術分野】
【０００１】
本発明は、たとえば瞬間式給湯装置の構成要素などとして用いるのに好適な燃焼装置に関する。
【背景技術】
【０００２】
給湯装置に用いられる燃焼装置としては、バーナを収容するバーナケースの底部にファンを取り付け、バーナケースの底部に設けられた開口部からバーナケース内に燃焼用空気を供給させるようにしたものがある。バーナケースの底部にファンを取り付けるための手段としては、たとえばバーナケースの底部に下向きに起立した複数の起立部を設けておき、これら複数の起立部によって囲まれた領域に、ファンの吐出口側先端部を介装させ、かつこれらの部分をビス止めする手段がある（たとえば、特許文献１）。このような手段によれば、バーナケースに対するファンの位置決めや、ビス止め作業が比較的容易に行なえ、燃焼装置の組み立て作業性を良好にすることが可能である。
【０００３】
しかしながら、前記従来技術においては、次のように、未だ改善すべき余地があった。
【０００４】
すなわち、バーナケースの底部の複数の起立部によって囲まれた領域に、ファンの吐出口側先端部を介装させる場合、これらの寸法精度が低い場合には、各起立部と吐出口側先端部との間に比較的大きめの隙間を生じてしまう場合がある。このような隙間を生じたのでは、ファンから吐出されるエアが前記隙間から外部に漏れる虞を生じる。このようなエア漏れは、バーナを所定の空燃比で適切に燃焼駆動させる上で好ましいものではない。また、前記したような隙間は、ファンのがたつき（振動）の要因にもなる。したがって、前記したような隙間をできる限り生じないようにすることが要望される。
なお、前記したような不具合を防止するための手段としては、バーナケースの起立部とファンとのビス止め箇所を多くするといったことが考えられるが、このような手段を採用したのでは、バーナケースへのファンの組み付け作業が煩雑となり、燃焼装置の生産性が低下する。
【先行技術文献】
【特許文献】
【０００５】
【特許文献１】特開２００６−３００４１８号公報
【発明の概要】
【発明が解決しようとする課題】
【０００６】
本発明は、前記したような事情のもとで考え出されたものであり、組み付け作業が煩雑となるといった不具合を生じさせないようにしつつ、ファンの取り付け箇所の隙間からのエア漏れや、ファンのがたつきなどが生じないように、バーナケースにファンを適切に取り付けることが可能な燃焼装置を提供することを、その課題としている。
【課題を解決するための手段】
【０００７】
上記の課題を解決するため、本発明では、次の技術的手段を講じている。
【０００８】
本発明の第１の側面により提供される燃焼装置は、バーナケースと、このバーナケースの底部に設けられた開口部を介して前記バーナケース内に燃焼用空気を供給するためのファンと、を備えており、前記バーナケースの底部には、前記開口部の縁部から前記底部の厚み方向に起立し、かつ互いに間隔を隔てて対向する一対の第１の起立部を含む複数の起立部が設けられており、前記ファンは、エア吐出口が開口して形成されている吐出口側先
端部が、前記一対の第１の起立部の相互間領域に介装された状態で前記バーナケースに取り付けられている、燃焼装置であって、前記ファンの吐出口側先端部を形成する複数の板状壁部のうち、少なくとも１つの板状壁部の先端部には、前記エア吐出口とは反対側に曲げられて折り返され、かつ前記板状壁部の非折り返し部との間に隙間を形成して前記非折り返し部側への変形が可能な折り返し部が連設されており、前記一対の第１の起立部の相互間領域に前記ファンの吐出口側先端部が介装された状態において、前記一対の第１の起立部の少なくとも一方に前記折り返し部を圧接可能とされていることを特徴としている。
【０００９】
このような構成によれば、次のような効果が得られる。
バーナケースの底部に設けられた一対の第１の起立部に、ファンの吐出口側先端部の板状壁部に設けられている折り返し部を圧接させることにより、一対の第１の起立部と前記板状壁部との間に不当な隙間を生じないようにすることができる。折り返し部は、非折り返し部側への変形が可能であり、その寸法に融通性をもたせることができるために、各部の寸法精度が比較的低い場合であっても、折り返し部を第１の起立部に圧接させることができる。このようなことから、本発明によれば、隙間に起因するファンのがたつきや、外部への空気漏れを適切に抑制することができる。バーナケースの底部へのファンのネジ止め箇所を多くする必要もないため、バーナケースへのファンの組み付け作業性も良好なものとすることができる。
【００１０】
本発明において、好ましくは、前記複数の起立部として、前記一対の第１の起立部が対向する方向とは交差する方向において互いに間隔を隔てて対向する一対の第２の起立部を、さらに有しており、前記ファンの吐出口側先端部は、前記一対の第１の起立部および前記一対の第２の起立部によって囲まれた領域に介装され、かつ前記一対の第２の起立部の双方または一方に連結部材を用いて連結されている。
【００１１】
このような構成によれば、ファンの吐出口側先端部の位置決めが、一対の第１の起立部に加えて、一対の第２の起立部によっても図ることができ、ファンの位置決めがより的確に行なえることとなる。また、第２の起立部および連結部材を利用することによって、バーナケースに対するファンの連結固定も適切に図ることができる。
【００１２】
本発明において、好ましくは、前記ファンの吐出口側先端部と前記第２の起立部との連結部としては、前記連結部材が前記折り返し部と非折り返し部との隙間およびこの隙間に対応する箇所に位置することにより、前記連結部材が前記ファンのエア吐出口およびこれに連通する送風路の外部に位置するように設定された連結部が設けられている。
【００１３】
このような構成によれば、ファンの送風路を流れてエア吐出口から吐出されるエアが、連結部材に当たらないようにすることができる。このため、前記エアの流れが乱流状態となって送風騒音が大きくなるといった不具合を適切に防止し、または抑制することが可能となる。
【００１４】
本発明において、好ましくは、前記折り返し部は、前記第１の起立部に対面接触可能な平板部を有している。
【００１５】
このような構成によれば、折り返し部の平板部を第１の起立部に面接触させることにより、これらの間に隙間をより生じ難くすることができる。折り返し部と第１の起立部との当接状態をより安定したものとすることもできる。
【００１６】
本発明において、好ましくは、前記折り返し部には、この折り返し部が前記非折り返し部と対面する方向に変形する際のバネ性を発揮する湾曲板部が設けられている。
【００１７】
このような構成によれば、折り返し部に好適なバネ性をもたせ、このバネ性を利用して、隙間の解消などをより適切に図ることができる。また、ファンの吐出口側先端部を一対の第１の起立部の相互間に介装させる際に、前記湾曲板部を第１の起立部の先端に当接させるようにすれば、前記介装作業を円滑に行なうこともできる。
【００１８】
本発明において、好ましくは、前記折り返し部と非折り返し部との連接部分は、前記ファンのエア吐出口の開口幅をエア流れ方向下流側に進むにしたがって広くする湾曲状とされ、かつこの湾曲状部分の先端は、前記ファンケースの底部の上面高さと略同一以上の高さに設定されている。
【００１９】
このような構成によれば、ファンのエア吐出口からバーナケース内にエアが吐出される際に、このエアの一部は前記湾曲状部分に沿って流れていき、このエアに乱流を生じ難くすることができる。湾曲状部分に沿って流れたエアが、ファンケースの底部に衝突するなどして、乱流状態になることも適切に回避される。したがって、エア乱流に起因する騒音を低減する効果が得られる。
【００２０】
本発明の第２の側面により提供される燃焼装置は、バーナケースと、このバーナケースの底部に設けられた開口部を介して前記バーナケース内に燃焼用空気を供給するためのファンと、を備えており、前記バーナケースの底部には、前記開口部の縁部から前記底部の厚み方向に起立し、かつ互いに間隔を隔てて対向する一対の第１の起立部を含む複数の起立部が設けられており、前記ファンは、エア吐出口が開口して形成されている吐出口側先端部が、前記一対の第１の起立部の相互間領域に介装された状態で前記バーナケースに取り付けられている、燃焼装置であって、前記一対の第１の起立部のうち、少なくとも一方の第１の起立部の先端部には、前記開口部側に曲げられて折り返され、かつ前記第１の起立部の非折り返し部との間に隙間を形成して前記非折り返し部側への変形が可能な折り返し部が連設されており、前記一対の第１の起立部の相互間領域に前記ファンの吐出口側先端部が介装された状態において、前記吐出口側先端部に前記折り返し部を圧接可能とされていることを特徴としている。
【００２１】
このような構成によれば、バーナケースの底部に設けられた第１の起立部の先端部に折り返し部が設けられており、折り返し部が設けられている箇所が、本発明の第１の側面により提供される燃焼装置とは異なるものの、一対の第１の起立部の相互間領域にファンの吐出口側先端部を介装させた状態では、前記折り返し部の存在に起因し、第１の起立部と吐出口側先端部との間に隙間を生じないようにすることができる。したがって、本発明の第１の側面により提供される燃焼装置について述べたのと同様に、ファンのがたつき防止や、隙間からの空気漏れ防止などを好適に図ることが可能である。
【００２２】
本発明のその他の特徴および利点は、添付図面を参照して以下に行なう発明の実施の形態の説明から、より明らかになるであろう。
【図面の簡単な説明】
【００２３】
【図１】本発明に係る燃焼装置の一例を示す要部概略断面図である。
【図２】図１の矢視IIの要部分解正面図である。
【図３】(ａ)は、図１に示す燃焼装置の一部断面正面図であり、(ｂ)は、(ａ)の要部分解断面図であり、(ｃ)は、(ａ)のIIIc−IIIc断面図であり、（ｄ）は、（ａ）の IIId−IIId断面図である。
【図４】図１に示す燃焼装置のバーナケースの底部を上向きにした状態での要部斜視図である。
【図５】（ａ）は、図１に示す燃焼装置のファンケースの斜視図であり、（ｂ）は、（ａ）に示すファンケースの概略分解斜視図である。
【図６】（ａ）〜（ｄ）は、本発明の他の例を示す要部断面図である。
【図７】本発明の他の例を示す一部断面正面図である。
【図８】本発明の他の例を示す要部断面図である。
【図９】本発明の他の例を示す要部断面図である。
【発明を実施するための形態】
【００２４】
以下、本発明の好ましい実施の形態について、図面を参照して具体的に説明する。
【００２５】
図１〜図５は、本発明に係る燃焼装置の一実施形態を示している。
図１において、本実施形態の燃焼装置Ａは、たとえば瞬間式給湯装置の構成要素として用いられるものであり、燃料ガスなどの燃料を燃焼させるバーナ１、このバーナ１を収容するバーナケース２、およびこのバーナケース２の内部に燃焼用空気を送り込むファンＦを具備している。バーナケース２の上側には、湯水加熱用の熱交換器（図示略）が載設され、この熱交換器に送られてきた水が加熱されることにより給湯用の湯水を生成可能である。
【００２６】
バーナケース２の底部２０には、たとえば矩形状に形成された給気用の開口部２１が設けられている。バーナケース２の底部２０にファンＦを取り付けるための手段として、図２および図４に示すように、開口部２１の周縁部から下向き（図４では上向きに示されている）に起立した複数の起立部２２（２２ａ，２２ｂ）が設けられている。これら複数の起立部２２は、底部２０を構成するプレート材への切り起こし加工により形成されている。複数の起立部２２としては、バーナケース２の左右幅方向に間隔を隔てて互いに対向する一対の第１の起立部２２ａ、およびバーナケース２の前後幅方向に間隔を隔てて互いに対向する一対の第２の起立部２２ｂがある。
【００２７】
バーナケース２の底部２０のうち、開口部２１から離間した位置には、下向き突出状の補助起立部２３が設けられている。この補助起立部２３は、後述するように、ファンＦのうち、吐出口側先端部３０から離間した位置をバーナケース２に連結するための部分であり、たとえばＬ字状に屈曲した部材を底部２０に溶接することにより設けられている。
【００２８】
図１において、ファンＦは、たとえばシロッコファンなどの遠心式ファンであり、ファンケース３内に羽根車４０が収容されている。この羽根車４０は、ファンケース３の片側に取り付けられたファン駆動用のモータＭによって駆動回転自在である。ファンケース３のモータＭとは反対の片側には、吸気口４１が設けられている。
【００２９】
ファンケース３の上部には、上向きに開口した平面視矩形状のエア吐出口３１を形成している吐出口側先端部３０が設けられている。図５（ａ）によく表われているように、吐出口側先端部３０は、基本的には、４つの板状壁部３０ａ〜３０ｄが略角筒状に接合されて、その内部にエア吐出口３１およびその手前の送風路３１ａが形成されるようにした構成であるが、本実施形態においては、板状壁部３０ｃに延設領域３０c'が設けられており、この延設領域３０c'が略角筒状の吐出口側先端部３０からその一側方にはみ出した格好となっている。延設領域３０c’は、後述するように、ファンＦの取り付け状態を安定させ、モータＭの振動がバーナケース２に伝達することを抑制するのに役立つ。
【００３０】
図５（ｂ）に示すように、ファンケース３は、面板部３２，３３と、帯板部３４とを組み合わせて構成されている。これらは、いずれもステンレス製などの金属板にプレス加工を施して形成されたものである。面板部３２は、モータＭが取り付けられるモータ側面板部であり、面板部３３は、吸気口４１が設けられる吸気口側面板部である。帯板部３４は、羽根車４０を囲む部分や、送風路３１ａの基本となる部分などを有しており、面板部３２，３３の両者間に挟まれてこれらと接合される。面板部３２，３３、および帯板部３４
の上部は、先に述べた吐出口側先端部３０を形成する部分であり、帯板部３４の上部２箇所の領域が、吐出口側先端部３０の板状壁部３０ａ，３０ｂに相当し、面板部３２，３３の上部は、板状壁部３０ｃ，３０ｄにそれぞれ相当する。
【００３１】
板状壁部３０ａ，３０ｂの先端部のそれぞれには、折り返し部３６が連設されている。この折り返し部３６は、第１の起立部２２ａに圧接させるための部分である。図３（ａ），（ｂ）によく表われているように、折り返し部３６は、板状壁部３０ａ，３０ｂの一部がエア吐出口３１とは反対側に曲げられて折り返された部分であり、板状壁部３０ａ，３０ｂの非折り返し部３５との間には隙間Ｃ１を生じるように形成されている。板状壁部３０ａ，３０ｂのうち、少なくとも折り返し部３６の形成箇所は、他の板状壁部３０ｃ，３０ｄ（面板部３２，３３）との接合はなされていない。このことにより、折り返し部３６は、非折り返し部３５側へ接近するように圧縮変形可能である。
【００３２】
折り返し部３６は、より詳しくは、第１の起立部２２ａに対面接触させるための平板部３６ａを有している。平板部３６ａの基部側は、湾曲板部３６ｂとされているが、この湾曲板部３６ｂの一部は、折り返し部３６と非折り返し部３５との連接部分ｎ１にも相当している。湾曲板部３６ｂの存在により、折り返し部３６が平板部３６ａが非折り返し部３５との対面方向に変形する際のバネ性が強められている。好ましくは、平板部３６ａは、図３（ｂ）に示すように、折り返し部３６が第１の起立部２２ａに当接していない自然状態においては、平板部３６ａの先端側（下端側）が基端側よりも外側に位置するように形成されている。
【００３３】
バーナケース２に対するファンＦの取り付けは、第１および第２の起立部２２ａ，２２ｂによって囲まれた領域に、ファンＦの吐出口側先端部３０を介装させることにより行なわれている。この場合、一対の第１の起立部２２ａのそれぞれには、折り返し部３６の平板部３６ａが圧接する。ファンケース３の延設領域３０c’については、補助起立部２３に対面接触させる。なお、図４に示すように、所定の起立部２２の相互間には、隙間ｓ１が形成されている。この隙間ｓ１は、面板部３２（板状壁部３０ｃ）と起立部２２との干渉を回避するための部位であり、面板部３２は、その一部分が隙間ｓ１に位置することにより第２の起立部２２ｂに対面接触する部分から補助起立部２３に対面接触する部分まで一連に延びるように設定される。
【００３４】
ファンＦの取り付けに際しては、折り返し部３６の基部側に形成された湾曲板部３６ｂの先端（上端）が、たとえばバーナケース２の底部２０の上面と略同一高さとされている。ただし、後述する実施形態のように、湾曲板部３６ｂの先端を底部２０の上面よりも高くしてもよい。このことの意義については後述する。
【００３５】
ファンケース３の上部は、ビスなどの複数のネジ体９０（本発明でいう連結部材の一例）を用いて、第１および第２の起立部２２ａ，２２ｂ、ならびに補助起立部２３に連結されている。ネジ体９０を用いた連結部として、たとえば第１ないし第３の連結部Ｊ１〜Ｊ３が設けられており、第１の連結部Ｊ１は、面板部３２の延設領域３０c’と補助起立部２３との連結部である。第２の連結部Ｊ２は、面板部３３と第２の起立部２２ｂとの連結部である。第３の連結部Ｊ３は、面板部３２と第２の起立部２２ｂとの連結部である（図２やその他の図面における符号９８は、ネジ体挿通用の孔部である）。
【００３６】
第２および第３の連結部Ｊ２，Ｊ３においては、ネジ体９０を折り返し部３６と非折り返し部３５との隙間Ｃ１、およびこの隙間Ｃ１に対応する箇所に配置させている。このことにより、ネジ体９０をエア吐出口３１に接近させた配置にしながらも、エア吐出口３１やエア吐出口３１に連通する送風路３１ａの外部に配置させることができる。
【００３７】
次に、前記した構成の燃焼装置Ａの作用について説明する。
【００３８】
まず、バーナケース２の底部２０にファンＦを取り付けた状態においては、一対の第１の起立部２２ａのそれぞれに折り返し部３６を圧接させることができる。したがって、この圧接部分において不当な隙間を生じないようにし、ファンＦからバーナケース２内に吐出された空気の一部が隙間から外部に漏れる現象を適切に抑制することができる。折り返し部３６は、湾曲板部３６ｂを有していることによりバネ性をもつために、前記した圧接状態を適切に得ることができる。また、折り返し部３６の平板部３６ａを第１の起立部２２ａに対面接触させることができるために、隙間を無くす上でより好ましいものとなる。
【００３９】
折り返し部３６を第１の起立部２２ａに圧接させた構造によれば、ファンＦをバーナケース２に対してがたつきのない状態に取り付けることもできる。したがって、ファンＦとバーナケース２とのネジ止め箇所の数を多くする必要はなく、バーナケース２に対するファンＦの組み付け作業も容易となる。とくに、本実施形態においては、モータＭの重量負担割合が大きい面板部３２の幅方向両端部近傍が第１および第３の連結部Ｊ１，Ｊ３によって支持され、かつモータＭの重量負担割合が小さい面板部３３の幅方向中央寄り部分が第２の連結部Ｊ２によって支持された構造であるため、少数の連結部Ｊ１〜Ｊ３によってファンＦをバランス良く固定支持することができる。
【００４０】
ファンＦのエア吐出口３１の左右両側には、折り返し部３６の基部側の湾曲板部３６ｂが存在しており、エア吐出口３１は、エア流れ方向下流側（図面では上側）に進むにしたがってその幅が徐々に拡大するようになっている。また、湾曲板部３６ｂは、バーナケース２の底部２０の上面高さと同一またはそれ以上の高さとされている。このため、エア吐出口３１からエア吐出が行なわれる際には、エアの一部は湾曲板部３６ｂの表面に沿って徐々に広がりながら進行してバーナケース２内に流れ込む。湾曲板部３６ｂに沿って進行するエアが第１の起立部２２ａやバーナケース２の底部２０に衝突するといったこともない。このようなことから、エア吐出口３１から吐出されるエアが乱流状態になることが抑制され、エアの乱流化に起因する騒音の低減を図ることもできる。
【００４１】
第１ないし第３の連結部Ｊ１〜Ｊ３は、いずれもネジ体９０がエア吐出口３１やこれに連通する送風路３１ａ内に存在しないように設けられている。このため、送風路３１ａを流れてエア吐出口３１から吐出されるエアが、ネジ体９０に当たって乱流状態となることも適切に回避される。その結果、エアの乱流化に起因する騒音をより徹底して防止することが可能となる。第２および第３の連結部Ｊ２，Ｊ３は、既述したように、隙間Ｃ１を利用して設けられて、エア吐出口３１に接近した配置とされているために、エア吐出口３１の周辺部分の固定支持を効率よく図ることができる利点も得られる。なお、図３（ａ）のファンＦの正面視において、第１および第２の連結部Ｊ１，Ｊ２は、モータＭの重心を通る鉛直線ＶＬの左右両側に位置し、しかも鉛直線ＶＬからの距離が略同一とされている。このため、第１および第２の連結部Ｊ１，Ｊ２は、モータＭの荷重を適切に負担し、モータＭの振動がバーナケース２に伝達し難くなる効果が得られる。
【００４２】
図６〜図９は、本発明の他の実施形態を示している。これらの図において、前記実施形態と同一または類似の要素については、前記実施形態と同一の符号を付している。
【００４３】
図６（ａ）においては、折り返し部３６の基部側の湾曲板部３６ｂが、バーナケース２の底部２０の上面よりも高い位置まで突出し、バーナケース２内に進入した構成とされている。このような構成によれば、湾曲板部３６ｂに沿って流れたエアをバーナケース２内に円滑に流れ込ませることが確実化され、エア乱流を防止するのにより好適となる。
【００４４】
図６（ｂ）においては、湾曲板部３６ｂと平板部３６ａとの間の部分を斜めに傾斜した
平板部３６ｃとしている。このような構成であっても、湾曲板部３６ｂの存在によって折り返し部３６にバネ性をもたせ、あるいはバネ性を強めることが可能である。同図（ｃ）においては、湾曲板部３６ｂと平板部３６ａとの間の部分を、略水平状の平板部３６ｄとしている。平板部３６ａ，３６ｄどうしの連接部分ｎ２には、丸みが付されている。この丸みが付された連接部分ｎ２の存在により、折り返し部３６にバネ性をもたせ、あるいはバネ性を強めることが可能である。同図（ｄ）においては、折り返し部３６の全体が断面円弧状とされており、平板部が設けられていない構成とされている。本発明においては、このような構成とすることもできる。
これらの実施形態から理解されるように、折り返し部の具体的な形状は種々に変更可能であり、また折り返し部の設定高さもとくに限定されるものではない。
【００４５】
図７に示す実施形態においては、板状壁部３０ａ，３０ｂのうち、一方の板状壁部３０ａのみに折り返し部３６が設けられており、他方の板状壁部３０ｂには、折り返し部３６が設けられていない。板状壁部３０ｂの先端部は、たとえば単なる平板状とされている。本発明においては、板状壁部３０ａ，３０ｂの双方に折り返し部を設けることが好ましいものの、いずれか一方のみに折り返し部を設けた場合であっても、従来技術と比較して好ましい効果が得られ、本発明の技術的範囲に包摂される。
【００４６】
図８に示す実施形態においては、ファンＦの吐出口側先端部３０の板状壁部３０ｅに設けられた折り返し部３６が、バーナケース２の起立部２２にネジ体９７を用いて連結されている。ネジ体９７は、起立部２２および折り返し部３６を貫通しているものの、その先端部は、折り返し部３６と非折り返し部３５との隙間Ｃ１の位置に止まっている。
このような構成によれば、折り返し部３６が起立部２２とのネジ止め連結に有効に利用されており、折り返し部３６と起立部２２との間に隙間が形成されるといった不具合を確実に防止する上でより好ましいものとなる。また、ネジ体９７がファンＦのエア吐出口３１や送風路３１ａ内に位置することも好適に回避することができる。
【００４７】
本実施形態から理解されるように、本発明においては、ファンの吐出口側先端部の板状壁部に設けられた折り返し部を、バーナケースの起立部に圧接させることに加えて、ネジ体などの連結部材を利用して起立部に連結した構成としてもよい。
なお、図８に示す板状壁部３０ｅは、図１〜図６に示した先の実施形態との関係で言うと、先の実施形態の板状壁部３０ａ〜３０ｄのうち、板状壁部３０ａ，３０ｂに相当する部位である場合と、板状壁部３０ｃ，３０ｄに相当する部位である場合とのいずれであってもよい。後に詳述するが、本発明においては、先の実施形態とは異なり、板状壁部３０ａ〜３０ｄのうち、板状壁部３０ａ，３０ｂには折り返し部３６を設けることなく、板状壁部３０ｃ，３０ｄの双方または一方のみに折り返し部３６を設けた構成とすることが可能である。
【００４８】
図９に示す実施形態においては、一対の第１の起立部２２ａの双方またはいずれか一方に折り返し部２８が設けられており、ファンＦの吐出口側先端部３０側には折り返し部が設けられていない構成とされている。折り返し部２８は、第１の起立部２２ａを内側（開口部２１側）に曲げてから上側に折り返した形態である。第１の起立部２２ａの折り返し部２８と非折り返し部２７との間には、隙間Ｃ２が形成されている。
【００４９】
本実施形態においては、一対の第１の起立部２２ａの相互間にファンＦの吐出口側先端部３０が介装された際に、折り返し部２８が圧縮変形を生じ、折り返し部２８を吐出口側先端部３０の外面（板状壁部３０ａ，３０ｂ）に圧接させることが可能である。したがって、本実施形態においても、上述した実施形態と同様に、エア漏れ原因となる隙間をなくす効果や、ファンＦのがたつきをなくすといった効果を得ることができる。
【００５０】
本発明は、上述した実施形態の内容に限定されない。本発明に係る燃焼装置の各部の具体的な構成は、本発明の意図する範囲内において種々に設計変更自在である。
【００５１】
バーナケース２の底部２０に設けられる起立部２２は、切り起こし加工によって形成することに代えて、たとえば底部２０とは別体の部材を溶接するなどして形成してもよい。補助起立部２３は省略した構成とすることもできる。
【００５２】
本発明においては、複数の起立部２２のうち、バーナケース２の左右幅方向に対向する起立部が、本発明でいう第１の起立部に相当するとは限らない。本発明においては、ファンＦの吐出口側先端部３１を構成する複数の板状壁部３０ａ〜３０ｄのうち、板状壁部３０ａ，３０ｂには折り返し部３６を設けることなく、板状壁部３０ｃ，３０ｄの双方または一方のみに折り返し部３６を設けた構成としてもよいことは既に述べたとおりであり、このような場合には、板状壁部３０ｃ，３０ｄに対応する起立部２２ａが、本発明でいう第１の起立部に相当することとなる。本発明においては、板状壁部３０ａ〜３０ｄの全てに折り返し部を設けた構成とすることできる。
【００５３】
ファンとしては、シロッコファン以外のファンを用いることもできる。バーナケースの具体的な構造はとくに限定されず、バーナケースに収容されるバーナは、ガスバーナに代えて、オイルバーナとすることもできる。また、本発明に係る燃焼装置は、使用時の向きは問わず、たとえばいわゆる逆燃焼方式に設定することも可能である。燃焼装置を逆燃焼方式で用いる場合には、バーナケースの上側にファンが位置することとなるが、このような構成は、本発明に係る燃焼装置を上下反転させて使用しているのであって、バーナケースの上部は、本発明でいうバーナケースの底部に相当する。したがって、そのような使用態様の場合であっても、本発明が意図する構造を備えている限りは本発明の技術的範囲に包摂される。
【００５４】
本発明に係る燃焼装置の用途は、限定されない。給湯装置の構成要素以外の用途（たとえば、暖房装置や燃焼焼却装置など）に用いることが可能である。
【符号の説明】
【００５５】
Ａ  燃焼装置
Ｃ１，Ｃ２  隙間
Ｆ  ファン
ｎ１  折り返し部と非折り返し部との連接部分
２  バーナケース
２０  底部（バーナケースの）
２１  開口部
２２（２２ａ）  第１の起立部
２２（２２ｂ）  第２の起立部
２７  非折り返し部
２８  折り返し部
３  ファンケース
３０  吐出口側先端部
３０ａ〜３０ｅ  板状壁部
３１  エア吐出口
３５  非折り返し部
３６  折り返し部
３６ａ  平板部
３６ｂ  湾曲板部
【図１】
2015068554.tif 000003
【図２】
2015068554.tif 000004
【図３】
2015068554.tif 000005
【図４】
2015068554.tif 000006
【図５】
2015068554.tif 000007
【図６】
2015068554.tif 000008
【図７】
2015068554.tif 000009
【図８】
2015068554.tif 000010
【図９】
2015068554.tif 000011